(57)【要約】【課題】おむつのインナーや、生理用ナプキン、尿漏れパッド等として適用可能で、装着時の肌への装着感を高め、かつ吸収性の良いパッドタイプの吸収性物品を提供する。【解決手段】液透過性の表面シート１２と、液不透過性の裏面シート１３と、表面シート１２と裏面シート１３とで挟まれ、長手方向Ｙに間欠的に配置された複数の吸収体１１とを有するパッドタイプの吸収性物品１であって、複数の吸収体１１間がそれぞれ長手方向Ｙに折り重ねられており、その折り重ねられた部分１０のうち長手方向Ｙに直交する幅方向Ｘの両側部３１が係止されているようにして上記課題を解決する。折り重ねられた部分１０は、長手方向Ｙに交互に山折りＲ及び谷折りＶされており、係止部３０が肌面側の山折り部Ｒの先端又は略先端であることが好ましい。【選択図】図１
2018050868.tif 000002
【特許請求の範囲】
【請求項１】
液透過性の表面シートと、液不透過性の裏面シートと、前記表面シートと前記裏面シートとで挟まれ、長手方向に間欠的に配置された複数の吸収体とを有するパッドタイプの吸収性物品であって、
前記複数の吸収体間がそれぞれ長手方向に折り重ねられており、前記折り重ねられた部分のうち前記長手方向に直交する幅方向の両側部が係止されていることを特徴とする吸収性物品。
【請求項２】
前記折り重ねられた部分は、前記長手方向に交互に山折り及び谷折りされている、請求項１に記載の吸収性物品。
【請求項３】
前記係止した部分が、前記肌面側の山折り部の先端又は略先端である、請求項１又は２に記載の吸収性物品。
【請求項４】
前記複数の吸収体は、長手方向の両端部に配置された吸収体よりも中央部に配置された吸収体のほうが前記長手方向に長い、請求項１〜３のいずれか１項に記載の吸収性物品。
【請求項５】
前記折り重ねの方向が、長手方向の中央部に向かって対称である、請求項１〜４のいずれか１項に記載の吸収性物品。
【請求項６】
おむつのインナー、生理用ナプキン、又は失禁パッドである、請求項１〜５のいずれか１項に記載の吸収性物品。
【発明の詳細な説明】
【技術分野】
【０００１】
本発明は、パッドタイプの吸収性物品に関し、さらに詳しくは、おむつのインナーや、生理用ナプキン、尿漏れパッド等として適用可能で、装着時の肌への装着感を高め、かつ吸収性の良いパッドタイプの吸収性物品に関する。
【背景技術】
【０００２】
一般的な使い捨ておむつ、生理用ナプキン等の吸収性物品は、液透過性の表面シートと、液不透過性の裏面シートと、前記表面シートと前記裏面シートとの間に配置される吸収体とを含んで構成されている。こうした吸収性物品として、排泄時におむつ全体を交換せずに済むように、アウターとして用いるおむつの表面に尿等の吸収を補助する吸収パッドをインナーとして敷いて使用するパッドタイプの使い捨ておむつがある。吸収パッドに関しては、種々の形態が提案されており、例えば、製品の長手方向に平行に伸縮して体型や用途に応じて、寸法や吸収部位を変更したもの、吸収体に切り込みを入れたもの、吸収体を切り離す構造を設けたもの等が提案されている。
【０００３】
特許文献１では、不要部分を出すことなく、使用者の体型や用途、状況に応じて寸法、吸収部位を変更可能であり、しかも構造が簡素である吸収性物品が提案されている。この吸収性物品は、複数の吸収部が一体をなすように並設されて形成された本体部と、隣接する吸収部を相互に分離するためのミシン目と、隣接する吸収部を相互に連結するとともに、隣接する吸収部相互が離間する方向に伸長可能な連結部材とを備えたパッドタイプの吸収性物品である。
【０００４】
特許文献２では、予め与えられたサイズのままでも良好に排泄液を吸収することができ、かつ、必要に応じて小さいサイズに分離して使用することもできる吸収パッドが提案されている。この吸収パッドは、液透過性の第１シート及び第２シートと、両シートの間に挟まれた２つの吸収体とを備えており、吸収体と吸収体との間において、第１シート及び第２シートは下面側へ引き出され、それにより形成された襞が、第２シートの他の部分の下面に仮接合されている。この仮接合は必要に応じて解除され、吸収パッドを小さいサイズに切断して使用することもできる。
【０００５】
特許文献３では、粘性の高い排泄物に対しても、吸収体の機能を発揮することができる補助吸収パッドが提案されている。この補助吸収パッドは、吸収具の吸収面上に載置される長尺の補助吸収パッドであって、通液性を有する表面シートと、その表面シートの一表面側に配置され、複数の吸水紙を積層して構成される吸収体とを含んで構成されており、長手方向に間隔をあけて、前記長手方向に垂直な幅方向一側部から幅方向他側部に向かって延びる複数の切込み部が形成されている。
【先行技術文献】
【特許文献】
【０００６】
【特許文献１】特開２０１２−１７５９９１号公報
【特許文献２】特開２０１１−５６０９２号公報
【特許文献３】特開２０１２−５５３８２号公報
【発明の概要】
【発明が解決しようとする課題】
【０００７】
特許文献１に記載のパッドタイプの吸収性物品は、各隣接する吸収部がそれぞれミシン目により適宜の大きさに千切ることが可能だが、千切り取った部分の始末が必要になり、廃棄せずに再利用するにしてもその寸法形状に制限があるという問題点がある。特許文献２に記載の吸収パッドは、吸収パッドのサイズを状況に応じて選択することができるが、予め与えられたサイズで固定されるため、適合サイズの選択に迷うことがあると同時に、排泄液の量に対して漏れが発生する可能性がある。特許文献３に記載の補助吸収パッドは、長手方向に直交する幅方向の一側部から他側部に向かって切り込みが入っていることにより、使い捨て紙おむつ等の吸収具に重ねて使用すると、使い捨て紙おむつの湾曲にともなって幅方向には柔軟に変形するが、長手方向への広がりは柔軟ではない。
【０００８】
また、一般的な吸収パッドでは、吸収体を含む本体部の表面の両側部に、身体側に突出する立体ギャザーがそれぞれ前後方向に延在しているが、アウターとなる紙おむつにも立体ギャザーが存在している場合、パッドとおむつの立体ギャザーが二重に存在し、装着感が悪くなり、漏れが発生するおそれがある。また、低体重で生まれた赤ちゃんには、体に負担を掛けないために、おむつの代わりにガーゼを当てたり、生理用ナプキンを使うことがあるが、いずれも吸収量や形状に制限がある。
【０００９】
本発明は、上記従来技術の問題を考慮してなされたものであって、その目的は、おむつのインナーや、生理用ナプキン、尿漏れパッド等として適用可能で、装着時の肌への装着感を高め、かつ吸収性の良いパッドタイプの吸収性物品を提供することにある。
【課題を解決するための手段】
【００１０】
本発明に係る吸収性物品は、液透過性の表面シートと、液不透過性の裏面シートと、前記表面シートと前記裏面シートとで挟まれ、長手方向に間欠的に配置された複数の吸収体とを有するパッドタイプの吸収性物品であって、前記複数の吸収体間がそれぞれ長手方向に折り重ねられており、前記折り重ねられた部分のうち前記長手方向に直交する幅方向の両側部が係止されていることを特徴とする。
【００１１】
この発明によれば、複数の吸収体間がそれぞれ長手方向に折り重ねられた部分のうち長手方向に直交する幅方向の両側部が係止されているので、体液等を吸収した後に吸収体が膨らんで幅方向の中間部が長手方向に拡張すると同時に、幅方向の両側部が立ち上がる。その結果、吸収性が高まり、漏れを防ぐ構造に変形させることができる。したがって、この吸収性物品によれば、従来技術のような二重のギャザーを設ける必要がなく、装着時の装着感が高まる。
【００１２】
本発明に係る吸収性物品において、前記折り重ねられた部分は、前記長手方向に交互に山折り及び谷折りされている。
【００１３】
この発明によれば、折り重ねられた部分は長手方向に交互に山折り及び谷折りされているので、シンプルな工程で折り込みを行うことができる。また、長手方向に直交する幅方向の両側部にギャザーを有さないので、フラット型のパッドタイプの吸収性物品とすることができ、装着感の悪化や漏れの発生を低減することができる。
【００１４】
本発明に係る吸収性物品において、前記係止した部分が、前記肌面側の山折り部の先端又は略先端である。
【００１５】
この発明によれば、係止した部分が肌面側の山折り部の先端又は略先端であるので、肌面側の折り襞をフラットにすることができ、肌への装着感を高めることができる。さらに、体液を吸収した後に立ち上がった両側部の凹凸も小さくすることができる。
【００１６】
本発明に係る吸収性物品において、前記複数の吸収体は、長手方向の両端部に配置された吸収体よりも中央部に配置された吸収体のほうが前記長手方向に長い。
【００１７】
この発明によれば、中央部は装着時には股間部付近になるが、その中央部の吸収体のほうが両端部の吸収体よりも長いので、体液を吸収した後の中央部の吸収体の自重がより重くなって長手方向に拡張し易くなると同時に、襞が広がり易くなる。
【００１８】
本発明に係る吸収性物品において、前記折り重ねの方向が、長手方向の中央部に向かって対称である。
【００１９】
この発明によれば、折り重ねの方向が長手方向の中央部に向かって対称であるので、体液を吸収した後の襞が広がり易くなる。
【００２０】
本発明に係る吸収性物品において、おむつのインナー、生理用ナプキン、又は失禁パッドである。
【発明の効果】
【００２１】
本発明によれば、おむつのインナーや、生理用ナプキン、尿漏れパッド等として適用可能で、装着時の肌への装着感を高め、かつ吸収性の良いパッドタイプの吸収性物品を提供することができる。
【図面の簡単な説明】
【００２２】
【図１】本発明に係る吸収性物品の一例を示す説明図である。
【図２】図１に示す吸収性物品の斜視図である。
【図３】図１に示す吸収性物品の幅方向のＩ−Ｉ断面図である。
【図４】図１に示す吸収性物品の長手方向のII−II断面図である。
【図５】係止位置の一例を示す斜視図である。
【図６】係止位置の他の一例を示す斜視図である。
【図７】図１に示す吸収性物品の長手方向のIII−III断面図である。
【図８】吸収体の大きさを変えた吸収性物品の一例を示す長手方向の断面図である。
【図９】折り重ね方向を変えた吸収性物品の一例を示す長手方向の断面図である。
【図１０】吸収体が体液等を吸収した後の吸収性物品の形態の一例である。
【発明を実施するための形態】
【００２３】
本発明に係る吸収性物品の実施形態について図面を参照しつつ詳説する。本発明は、以下の実施形態に限定されるものではなく、その要部を有する各種の変形例や応用例を含む。
【００２４】
［吸収性物品］
本発明に係る吸収性物品１は、図１〜図４に示すように、液透過性の表面シート１２と、液不透過性の裏面シート１３と、表面シート１２と裏面シート１３とで挟まれ、長手方向Ｙに間欠的に配置された複数の吸収体１１とを有するパッドタイプの吸収性物品である。この吸収性物品１では、複数の吸収体１１間がそれぞれ長手方向Ｙに折り重ねられており、その折り重ねられた部分１０のうち長手方向Ｙに直交する幅方向Ｘの両側部３１が係止されている。
【００２５】
この吸収性物品１は、複数の横長形状の吸収体同士１１の間がそれぞれ長手方向Ｙに折り重ねられた部分のうち、長手方向Ｙに直交する幅方向Ｘの両側部３１，３１が係止されているので、体液等を吸収した後に吸収体１１が膨らんで幅方向Ｘの中間部３２が長手方向Ｙに拡張すると同時に、幅方向Ｗの両側部３１が立ち上がる。その結果、吸収性が高まり、漏れを防ぐ構造に変形させることができる。したがって、この吸収性物品１によれば、従来のような二重のギャザーを設ける必要がなく、装着時の装着感が高まるという効果がある。吸収性物品１としては、おむつのインナー、生理用ナプキン、又は失禁パッド（尿漏れパッド）等を好ましく挙げることができる。
【００２６】
以下、吸収性物品の構成要素と構造形態を詳しく説明する。
【００２７】
＜構成要素＞
吸収性物品１の基本的な構造形態は、図１〜図４に示すように、複数の吸収体１１が表面シート１２と裏面シート１３との間に挟まれていること、その複数の吸収体１１が長手方向Ｙに間欠的に配置されていること、複数の吸収体１１間（表面シート１２と裏面シート１３との重なり部分）がそれぞれ長手方向Ｙに折り重ねられていること、及び、その折り重ねられた部分１０のうち長手方向Ｙに直交する幅方向Ｘの両側部３１が係止されていること、にある。吸収性物品１におけるこれらの基本的な構成形態以外は特に限定されず、後述するように、各種の変形形態としてもよい。
【００２８】
（吸収体）
吸収体１１は、使用者が排泄した排泄物や体液等を吸収する吸収性能を有するものであり、複数の吸収体１１が用いられる。複数の吸収体１１は、図１及び図２に示すように、長手方向Ｙに一定間隔をあけて複数整列された態様で、表面シート１２と裏面シート１３とで表裏から挟まれている。なお、後述のように、表面シート１２は吸収体１１を表側から覆う液透過性のシートであり、裏面シート１３は吸収体１１を裏側から覆う液不透過性のシートである。「表面」とは装着時に肌面側２となる面であり、「裏面」とは装着時に非肌面側３となる面である。
【００２９】
吸収体１１は、上記吸収性能を有するものであればその構成は特に限定されないが、通常は、吸収性物品１の商品用途に応じた任意のものを用いることができ、例えば、繊維の集合体で構成されているものや、高吸収性ポリマー等を好ましく挙げることができる。これらの材料はそれぞれ単独で構成されていてもよいし、複数が混合されて構成されていてもよい。この繊維集合体としては、エアレイド不織布等の不織布、綿状パルプや合成繊維等の短繊維を積繊した集合体、セルロースアセテート等の合成繊維のトウ（繊維束）を必要に応じて開繊して得られるフィラメント集合体等を挙げることができる。
【００３０】
高吸収性ポリマーとしては、この種の吸収性物品に使用されるものをそのまま使用できる。高吸収性ポリマー粒子の粒径は特に限定されないが、例えば５００μｍの標準ふるい（ＪＩＳ  Ｚ８８０１−１：２００６）を用いたふるい分け（５分間の振とう）、及びこのふるい分けでふるい下に落下する粒子について１８０μｍの標準ふるい（ＪＩＳ  Ｚ８８０１−１：２００６）を用いたふるい分け（５分間の振とう）を行ったときに、５００μｍの標準ふるい上に残る粒子の割合が３０質量％以下で、１８０μｍの標準ふるい上に残る粒子の割合が６０質量％以上のものが望ましい。
【００３１】
高吸収性ポリマー粒子の材料としては、特に限定無く用いることができるが、吸水量が４０ｇ／ｇ以上のものが好適である。高吸収性ポリマー粒子としては、でんぷん系、セルロース系や合成ポリマー系等のものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体等のものを用いることができる。高吸収性ポリマー粒子の形状としては、通常用いられる粉粒体状のものが好適であるが、他の形状のものも用いることができる。高吸収性ポリマー粒子を使用する場合、必要であれば吸収体１１の平面方向で散布密度又は散布量を調整して吸収体１１に含ませてもよい。
【００３２】
高吸収性ポリマー粒子としては、吸水速度が７０秒以下、特に４０秒以下のものが好適に用いられる。吸水速度が遅すぎると、吸収体１１内に供給された液が吸収体１０の外に戻り出てしまういわゆる逆戻りを発生し易くなる。
【００３３】
また、高吸収性ポリマー粒子としては、ゲル強度が１０００Ｐａ以上のものが好適に用いられる。これにより、嵩高な吸収体１１とした場合であっても、液を吸収した後のべとつき感を効果的に抑制することができる。
【００３４】
吸収体１１の形状は、長方形又は略長方形（短冊状ということもできる。）である。長方形又は略長方形の吸収体１１は、長手方向に整列するのに有利であり、また、一定間隔をあけて整列するのにも有利である。吸収体１１の寸法は、おむつのインナー、生理用ナプキン、尿漏れパッド等の吸収性物品１の種類や大きさに応じて任意の寸法にすることができる。
【００３５】
（表面シート）
表面シート１２は、図３（Ａ）（Ｂ）に示すように、吸収体１１の肌面側２（表面側ともいう。）に配置されて、非肌面側３の裏面シート１３とともに吸収体１１を表裏から挟んで包む必須のシートである。表面シート１２は、体液等を透過する性質を有する液透過性のシートであればよく、例えば有孔又は無孔の不織布や、多孔性プラスチックシート等が用いられ、排泄された排泄物や体液等を透過して吸収体１１に容易に至らせるよう作用する。不織布はどのような加工によって製造されたものであってもよい。
【００３６】
表面シート１２の素材は特に限定されず、ポリエチレンやポリプロピレン等のオレフィン系、ポリエステル系、ポリアミド系等の合成繊維、レーヨンやキュプラ等の再生繊維、綿等の天然繊維等、又はこれらの二種以上からなる混合繊維や複合繊維等を挙げることができる。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンレース法が、嵩高性、ソフト性を求めるのであれば、サーマルボンド法が、好ましい加工方法となる。表面シート１２は、１枚のシートからなるものでもよいし、２枚以上のシートを貼り合せて得た積層シートでもよい。平面方向においても、表面シート３３は、１枚のシートで構成されていてもよいし、２枚以上のシートで構成されていてもよい。また、吸収体１１に高吸収性ポリマー粒子を含有させている場合には、その高吸収性ポリマー粒子が抜け出ないシートであることが望ましい。
【００３７】
（裏面シート）
裏面シート１３は、図３（Ａ）（Ｂ）に示すように、吸収体１１の非肌面側（裏面側ともいう。）に配置されて、肌面側２の表面シート１２とともに吸収体１１を表裏から挟んで包む必須のシートである。裏面シート１３は、体液等を透過しない性質を有する液不透過性のシートである。
【００３８】
裏面シート１３の素材は特に限定されないが、例えば、ポリエチレンやポリプロピレン等のオレフィン系樹脂等からなるプラスチックフィルム、不織布の表面にポリエチレンシート等のプラスチックフィルムを設けたラミネート不織布、又は、防水フィルムを介在させて実質的に液不透過性を確保した不織布（この場合は、防水フィルムと不織布とで液不透過性シートが構成される。）等を挙げることができる。この他にも、液不透過性の裏面シート１３には、ムレ防止の観点から、液不透過性かつ透湿性を有する素材を用いることが好ましい。この液不透過性かつ透湿性を有する素材のシートとしては、ポリエチレンやポリプロピレン等のオレフィン系樹脂中に無機充填剤を混練してシートを成形した後、一軸又は二軸方向に延伸して得られた微多孔性シートが広く用いられている。この他にも、マイクロデニール繊維を用いた不織布、熱や圧力をかけることで繊維の空隙を小さくした防漏性強化シート、高吸水性樹脂又は疎水性樹脂や撥水剤の塗工といった方法により、防水フィルムを用いずに液不透過性としたシート等を、液不透過性の裏面シート１３として用いてもよい。
【００３９】
この裏面シート１３は、裏面であることをわかり易くする等の理由で、必要に応じて着色していてもよいし図柄模様が印刷されていてもよい。また、アウターに装着する等の理由で、必要に応じて貼合テープや粘着剤が設けられていてもよい。
【００４０】
（包装シート）
包装シート１３は、吸収体１１を包むためのシートであり、図３（Ｂ）に示すように、吸収性物品１の商品用途に応じて任意に設けられる。包装シート１３を用いる場合、その素材としては、ティッシュペーパ、クレープ紙、不織布、ポリラミ不織布、小孔が開いたシート等を用いることができる。吸収体１１に高吸収性ポリマー粒子を含有させている場合には、その高吸収性ポリマー粒子が抜け出ないシートであることが望ましい。クレープ紙は特に好ましく用いられるが、クレープ紙に換えて不織布を用いる場合は、親水性のＳＭＳ不織布（ＳＭＳ、ＳＳＭＭＳ等）が特に好ましく、その材質はポリプロピレン、ポリエチレン／ポリプロピレン複合材等を使用することができる。包装シート１３の目付け量も特に限定されないが、５〜４０ｇ／ｍ２、特に１０〜３０ｇ／ｍ２のものが望ましい。
【００４１】
包装シート１３の包装形態は特に限定されず、吸収性物品１の商品用途に応じて任意に定めることができる。例えば、図３（Ｂ）に示すように、吸収体１１の全体を包む形態であってもよい。また、吸収体１１の裏面（裏面シート１３の側の面。以下同じ。）及び側面のみを覆う形態であってもよい。また、吸収体１１の上面（表面シート１２の側の面）及び側面のみを包装シート１３であるクレープ紙や不織布で覆い、裏面（裏面シート１３の側の面。以下同じ。）をポリエチレン等の裏面シート１２で覆う形態であってもよい。また、吸収体１１の上面のみを包装シート１３であるクレープ紙や不織布で覆い、側面及び裏面をポリエチレン等の裏面シート１２で覆う形態であってもよい。さらに、これら以外の形態であってもよい。
【００４２】
吸収体１１に高分子ポリマー粒子が含まれる場合は、粒子の移動防止や前後端縁からの粒子の抜け落ち防止等の観点から、包装シート１３を吸収体１１の表裏面及び両側面を取り囲むように筒状に巻き付け、且つその前後縁部を吸収体１１の前後から食み出させ、この食み出し部分を表裏方向に潰してホットメルト接着剤等の接合手段により接合する包装形態が好ましい。
【００４３】
なお、この包装シート１３の他、必要に応じて任意に設けられるものとして、例えば、表面シート１２を透過した体液等を速やかに吸収体１１へ移行させるシートを挙げることができる。このシートは、表面シート１２よりも液の透過速度が速いものであることが好ましく、吸収した体液等の吸収体１１からの「逆戻り現象」を防止し、表面シート１３を常に乾燥した状態とすることができる。このシートは、表面シート１２と同様の素材や、スパンレース、スパンボンド、ＳＭＳ、パルプ不織布、パルプとレーヨンとの混合シート、ポイントボンド又はクレープ紙を挙げることができる。特にエアスルー不織布が嵩高であるため好ましい。このシートは、吸収体１１の幅より短い幅で中央に配置されていてもよいし、全幅にわたって設けられていてもよい。また、シートの長手方向の長さは、吸収体１１の長さと同一でもよいし、体液等を受け入れる領域を中心にした短い長さであってもよい。
【００４４】
＜構造形態＞
（折り重ね構造）
吸収性物品１は、図１〜図４に示すように、複数の吸収体１１が表面シート１２と裏面シート１３との間に挟まれて設けられており、さらにその複数の吸収体１１が長手方向Ｙに間欠的に配置されている。そして、複数の吸収体間がそれぞれ長手方向Ｙに折り重ねられており、その折り重ねられた部分１０のうち長手方向Ｙに直交する幅方向Ｗの両側部３１が係止されている。この折り重ねられた部分１０が体液等を吸収すると、図１０に示すように、吸収体１１が膨らんで幅方向Ｗの中間部３２が長手方向Ｙに拡張すると同時に、幅方向Ｗの両側部３１が立ち上がるように機能する。このとき、両側部３１の先端３４は上を向くようになり、ギャザーと同様の作用効果を奏するものとなる。
【００４５】
折り重ねられた部分１０は、長手方向Ｙに交互に山折りＲ及び谷折りＶされている。この折り重ねられた部分１０では、山折りＲ側の表面シート１２側には、吸収体１１の全て又はほとんどの面積が表れ、折り目で覆われることなく折り込まれる。その結果、吸収体１１は体液等を吸収し易い。一方、谷折りＶ側の裏面シート１３側には、吸収体１１の一部が谷部の折り目で覆われた態様で折り込まれる。谷部の折り目で覆われる長さの例としては、例えば４ｍｍ〜８ｍｍ程度である。
【００４６】
こうした折り重ね部分１０は、シンプルな工程で折り込みを行うことができ、製造コストの低減に有利になる。また、長手方向Ｙに直交する幅方向Ｘの両側部３１にギャザーを有さないので、フラット型のパッドタイプの吸収性物品とすることができ、装着感の悪化や漏れの発生を低減することができる。また、こうした折り重ねられた部分１０の存在は、下記の係止部３０の形成に必要であり、その折り重ねられた部分１０を吸収体１１の裏側に存在させることにより、吸収体１１の吸収性能を十分に発揮させることができるとともに、幅方向Ｘの両側部３１で係止させることができ、その結果、吸収体１１が膨らんで幅方向Ｗの中間部３２が長手方向Ｙに拡張すると同時に、幅方向Ｗの両側部３１が立ち上がるのである。
【００４７】
（係止）
吸収性物品１は、図１及び図７（III−III断面図）に示すように、折り重ねられた部分１０のうち長手方向Ｙに直交する幅方向Ｗの両側部３１が係止されている。係止手段は、表面シート１２と裏面シート１３との材質とも関係するが、例えば、超音波接着、熱融着（ヒートシール）等を挙げることができる。
【００４８】
体液等を吸収した後の吸収体１１は、膨張と自重により下方に膨らもうとする。このとき、吸収性物品１は、折り重ね部分１０を有するので、吸収性物品１の幅方向Ｘの中間部Ｃが長手方向Ｙに広がりながら下方に膨らむ。一方で、吸収性物品１の幅方向Ｘの両側部３１は係止されて折り重ね部分１０が拘束されているので、図１０に示すように、両側部３１での寸法変化はなく、両側部３１の先端３４は上を向いて襞状に立ち上がることになる。その結果、吸収性物品１の幅方向Ｘの両側部３１は、図１０に示すように、漏れを防ぐことができる立ち上がった構造に変形する。したがって、こうした構造形態の吸収性物品１は、立体ギャザーを設ける必要がなく、装着時の装着感が高まる。
【００４９】
係止部３０は、図５〜図７に示すように、折り重ねられた部分１０において、肌面側の山折り部Ｒの頂部先端３３又は略先端であることが好ましい。こうすることで、肌面側２の山折り部Ｒの折り襞が飛び出ずにフラットになり、肌への装着感を高めることができる。
【００５０】
係止部３０の幅方向Ｘの位置は、図５に示すように、幅方向Ｘにおける吸収体１１の端部３５から距離ｄだけ離れた位置であることが好ましい。端部３５から離れた位置に係止部３０を設けることにより、吸収性物品１は長手方向Ｙに広がりながら下方に膨らむとともに、両側部３１が襞状に立ち上がることができる。このときの距離ｄは、例えば３ｍｍ以上であることが好ましい。
【００５１】
より好ましくは、係止部３０の位置は、図６に示すように、吸収性物品１の幅方向Ｘの両側部３１の先端（両端部）３４に設けられていることが好ましい。係止部３０が先端３４に設けられていることにより、両側部３１が襞状に立ち上がり易くなる。特に、山折り部Ｒの頂部先端３３で、両側部３１の先端（両端部）３４に係止部３０ｇ設けられていることが好ましい。
【００５２】
図８は、吸収体１１の大きさを変えた吸収性物品１の一例を示す長手方向の断面図である。折り重ねられた部分１０においては、吸収性物品１の長手方向Ｙの両端部に配置された吸収体１１’よりも、吸収性物品１の長手方向Ｙの中央部３６に配置された吸収体１１のほうが、長手方向Ｙに長いように構成することができる。こうした構造形態において、中央部３６は装着時には股間部付近になるが、その中央部３６の吸収体１１のほうが両端部の吸収体１１’よりも長いので、体液を吸収した後の中央部３６の吸収体１１はより重くなって自重で下がって長手方向に拡張し易くなると同時に、襞が広がり易くなる。図８において、符号Ｌ１は吸収性物品１の長手方向Ｙの中央部３６に配置された吸収体１１の長さであり、符号Ｌ３は吸収性物品１の長手方向Ｙの両端部に配置された吸収体１１’の長さであり、符号Ｌ２は両者の間に位置する吸収体１１の長さである。
【００５３】
図９は、折り重ね方向を変えた吸収性物品１の一例を示す長手方向の断面図である。折り重ねられた部分１０においては、山折りＲ及び谷折りＶされてなる折り重ねられた部分１０の折り重ねの方向が、長手方向Ｙの中央部３６に向かって対称であるように構成してもよい。こうした構造形態において、中央部３６は装着時には股間部付近になるが、山折りＲ及び谷折りＶされてなる折り重ねられた部分１０の折り重ね方向をその中央部３６に向かって長手方向Ｙで対称としたので、体液を吸収した後の中央部３６の吸収体１１が自重で下がって長手方向に拡張するのがより一層容易になる。
【００５４】
（吸収性物品の形状等）
吸収性物品１は、図１等に示すように、表面シート１２と裏面シート１３のそれぞれの周縁は、吸収体１１の周縁の幅よりも大きく食み出して構成されている。この食み出し部分を表裏方向に潰してホットメルト接着剤等の接合手段により接合される。
【００５５】
隣り合う吸収体１１間の距離を、その後に折り返される折り重ね部分１０を含めて例えば５ｍｍ〜２５ｍｍの範囲内に配置し、配置した吸収体１１を表面シート１２と裏面シート１３で挟む。この範囲内とすることにより、その後の重ね折りが可能となり山折りＲと谷折りＶの折り重ね部分１０を容易に形成することができる。その距離が５ｍｍ未満では、折り重ね部分１０が形成できないことがあり、その距離が２５ｍｍを超えると、折り重ね部分１０が大きすぎて厚みが出てしまうことがある。なお、折り重ね部分１０の長さＤは、例えば５ｍｍ〜７．５ｍｍの範囲内であることが好ましい。
【００５６】
なお、折り重ね部分１０は、吸収性物品１の長手方向Ｙに対して直交させて折り込むことが望ましい。
【００５７】
吸収性物品１の大きさは、その商品用途やＳ，Ｍ，Ｌ等のサイズによって任意に設計されるので特に限定されない。したがって、吸収体１１の長手方向Ｙ及び幅方向Ｘのサイズも吸収性物品１の大きさに基づいて設計されることになる。
【００５８】
本発明に係る吸収性物品１では、吸収体１１は表面シート１２と裏面シート１３とで挟まれており、その吸収性物品１の長手方向Ｙに直交する幅方向Ｘにおける吸収体１１の長さは、吸収体１１が存在しない両側部３１（表面シート１２と裏面シート１３だけの貼り合わせ部分）の長さを差し引いた長さであればよい。その両側部３１の長さは、片側あたりの長さＷが例えば１０〜３０ｍｍ程度であればよく、その長さのいずれかの箇所が係止部３０となる。なお、吸収性物品１の長手方向Ｙにおける吸収体間の長さは、吸収体１１を長手方向Ｙに間欠的に配置した後に折り重ねることができる長さであればよく、例えば５ｍｍ〜２５ｍｍ程度であればよい。
【００５９】
したがって、表面シート１２と裏面シート１３の大きさは、上記した長さＷが両側部３１で確保でき、上記した吸収体間の長さが複数の吸収体間で確保できればよい。吸収体１１のサイズは、それらの長さが確保できる大きさであれば任意の大きさにすることができる。
【００６０】
（商品用途）
本発明に係る吸収性物品１は、おむつのインナーや、生理用ナプキン、尿漏れパッド等として好ましく適用可能なパッドタイプの吸収性物品全般に利用できる。これらパッドタイプの吸収性物品１であれば、従来のインナー、生理用ナプキンや尿漏れパッド等に適用される構成要素を任意に含むものであってもよい。
【００６１】
＜明細書中の用語の説明＞
明細書中で以下の用語が使用される場合、明細書中に特に記載がない限り、以下の意味を有する。
・「ゲル強度」は次のようにして測定されるものである。人工尿４９．０ｇに高吸収性ポリマーを１．０ｇ加え、スターラーで攪拌させる。生成したゲルを４０℃で６０％ＲＨの恒温恒湿槽内に３時間放置し、その後に常温に戻し、カードメーター（Ｉ．ｔｅｃｈｎｏ  Ｅｎｇｉｎｅｅｒｉｎｇ社製：Ｃｕｒｄｍｅｔｅｒ−ＭＡＸ  ＭＥ−５００）でゲル強度を測定する。
・「目付け」は次のようにして測定されるものである。試料又は試験片を予備乾燥した後、標準状態（試験場所は、温度２０±５℃、相対湿度６５％以下）の試験室又は装置内に放置し、恒量になった状態にする。予備乾燥は、試料又は試験片を相対湿度１０〜２５％、温度５０℃を超えない環境で恒量にすることをいう。なお、公定水分率が０．０％の繊維については、予備乾燥を行わなくてもよい。恒量になった状態の試験片から米坪板(２００ｍｍ×２５０ｍｍ、±２ｍｍ)を使用し、２００ｍｍ×２５０ｍｍ（±２ｍｍ）の寸法の試料を切り取る。試料の質量を測定し、２０倍して１平米あたりの重さを算出し、目付けとする。
・吸水速度は、２ｇの高吸収性ポリマー及び５０ｇの生理食塩水を使用して、ＪＩＳ  Ｋ７２２４−１９９６「高吸水性樹脂の吸水速度試験法」を行ったときの「終点までの時間」とする。
・試験や測定における環境条件についての記載がない場合、その試験や測定は、標準状態（試験場所は、温度２０±５℃、相対湿度６５％以下）の試験室又は装置内で行うものとする。
・各部の寸法は、特に記載がない限り、自然長状態ではなく展開状態における寸法を意味する。
【符号の説明】
【００６２】
１  吸収性物品
２  肌面側
３  非肌面側
１０  折り重ねられた部分
１１  吸収体
１１’  長手方向の両端部に配置された吸収体
１２  表面シート
１３  裏面シート
１４  包装シート
３０  係止部
３１  幅方向の両側部
３２  幅方向の中間部
３３  山折り部の頂部先端
３４  両側部の先端
３５  吸収体の端部
３６  吸収性物品の長手方向の中央部
Ｒ  山折り部
Ｖ  谷折り部
Ｘ  幅方向
Ｙ  長手方向
Ｗ  表面シートと裏面シートだけの貼り合わせ部分の幅方向の片側部の長さ
Ｌ  吸収性物品の長手方向における吸収体の長さ
ｄ  幅方向の吸収体の端部から係止部までの距離
Ｄ  折り重ね部分の長さ
【図１】
2018050868.tif 000003
【図２】
2018050868.tif 000004
【図３】
2018050868.tif 000005
【図４】
2018050868.tif 000006
【図５】
2018050868.tif 000007
【図６】
2018050868.tif 000008
【図７】
2018050868.tif 000009
【図８】
2018050868.tif 000010
【図９】
2018050868.tif 000011
【図１０】
2018050868.tif 000012